(57)【要約】【課題】ダイヤルアップ接続によってネットワークに接続する際の、ネットワークへの接続状況を容易に認識することが可能な通信端末装置を提供する。【解決手段】インターネット４００に接続されたＩＳＰサーバ３００にダイヤルアップにより接続可能な電話装置１００であって、音楽データが記録される音楽データ記憶部１０７と、ダイヤルアップによりＩＳＰサーバ３００に接続し、接続完了後、ＩＳＰサーバ３００とネゴシエーションを行うモデム１０９と、モデム１０９によるネゴシエーションの開始及び完了を検知するネゴシエーション状況検知部１０４と、モデム１０９によるＩＳＰサーバ３００とのネゴシエーションの開始が検知されてから該ネゴシエーションの完了が検知されるまでの間、音楽データ記憶部１０７に記憶されている音楽データをスピーカから出力させる音楽データ出力部１０８とを備える。【選択図】　図１
2004129132.tif 000002
【特許請求の範囲】
【請求項１】
ネットワークに接続されたコンピュータにダイヤルアップにより接続し、前記コンピュータを介して前記ネットワークに接続可能な通信端末装置であって、
ダイヤルアップにより前記コンピュータに接続する接続手段と、
前記接続手段による接続完了後、前記コンピュータとネゴシエーションを行うネゴシエーション手段と、
前記通信端末装置が前記ネットワークに接続中であることを示す為のデジタルデータを記録するデジタルデータ記録部と、
ダイヤルアップによる前記ネットワークへの接続期間のうち、少なくとも前記ネゴシエーションが行なわれている期間、前記デジタルデータ記録部に記録されているデジタルデータを再生出力する再生出力手段とを備える通信端末装置。
【請求項２】
請求項１記載の通信端末装置であって、
前記ネゴシエーション期間中に、前記コンピュータとの接続が切断された場合、前記再生出力手段は前記デジタルデータの再生出力を停止する通信端末装置。
【請求項３】
請求項１又は２記載の通信端末装置であって、
前記再生出力手段により再生出力させるデジタルデータを、ユーザからの指示により決定する決定手段を備え、
前記再生出力手段は、前記決定手段により決定されたデジタルデータを再生出力する通信端末装置。
【請求項４】
請求項１〜３のいずれか記載の通信端末装置であって、
前記デジタルデータが音データを含み、
前記再生出力手段により再生出力される音データの音量を調整する音量調整手段を備える通信端末装置。
【請求項５】
請求項１〜４のいずれか記載の通信端末装置であって、
前記再生出力手段によるデジタルデータの再生出力の要否を設定する設定手段を備える通信端末装置。
【発明の詳細な説明】
【０００１】
【発明の属する技術分野】
本発明は、ネットワークに接続されたコンピュータにダイヤルアップにより接続し、そのコンピュータを介してネットワークに接続可能な通信端末装置に関する。
【０００２】
【従来の技術】
従来から、モデムにより通信先の装置に接続し、ネゴシエーションを行った後、その装置とデータ通信を開始すると同時に、スピーカからメロディ音を出力させる機能を有する通信装置が存在する（例えば、特許文献１参照）。
【０００３】
又、同様に、モデムにより通信先の装置に接続し、ネゴシエーションを行った後、その装置とデータ通信を開始すると、予め格納されている音楽データを読み出してスピーカから出力させる機能を有する通信装置が存在する（例えば、特許文献２参照）。
【０００４】
これらの通信装置によれば、モデムがデータ通信中であるかどうかをスピーカから出力されるメロディ音により認識することができ、又、データ通信に伴ってモデムから発生する雑音等をそのメロディ音によってかき消すことができるという利点がある。
【０００５】
【特許文献１】
特開平０８−１２５７９１号公報
【０００６】
【特許文献２】
特開平１１−９８２７１号公報
【０００７】
【発明が解決しようとする課題】
しかしながら、上記従来の技術では、２つの通信装置がデータ通信可能な状態になった後（ネゴシエーション完了後）、データ通信を行う際に、スピーカからメロディ音を出力するものである。この為、ネゴシエーション完了後の通信装置のデータ通信状況を認識することは容易だが、２つの通信装置が互いに接続され、ネゴシエーションが完了するまでの通信状況を認識することは容易ではなかった。
【０００８】
パーソナルコンピュータ（ＰＣ）のモデムからＩＰアドレスが割り当てられたコンピュータにダイヤルし、そのコンピュータを介してインターネット等のネットワークに接続する、いわゆるダイヤルアップ接続においては、モデムの性能や回線状況等によってコンピュータに接続するまでに時間がかかる場合が多く、又、コンピュータに接続してからも、そのコンピュータとのネゴシエーションに時間がかかってしまうのが現状である。特に、モデムと接続先のコンピュータとのネゴシエーションには多くの時間がかかってしまう。
【０００９】
この為、ユーザは、ＰＣがネットワークに接続完了するまでの間、ＰＣの前から離れて別の用事を行ってしまうことがある。ユーザが別の用事を行っている際中に、ＰＣがネットワークに接続完了していても、ＰＣの前から離れているユーザにとってはその接続完了を認識できない為、ユーザはそのまま別の用事に注力していることがある。この際、ネットワーク接続による通信料金は既に発生している為、ユーザはこの通信料を無駄にしてしまう可能性があった。
【００１０】
又、ユーザが別の用事を行っている際中に、ＰＣがネットワークへの接続を失敗した場合（コンピュータとの接続が切断されたり、ネゴシエーションが成功しなかったりする場合等）、ＰＣはネットワークへの接続作業を中断している状態となっているにも関わらず、ユーザはそのことを認識することができない。この為、ユーザが、ネットワークへの接続が既に完了したものと思ってＰＣの前に戻ってきても、ＰＣはネットワークに接続完了していないという状況になってしまい、ユーザにとっては、無駄な時間を過ごすこととなってしまう。
【００１１】
一般に、モデムと接続先のコンピュータとのネゴシエーション中には、ネゴシエーション音と呼ばれる音がモデムから出力される為、ユーザは、ＰＣの前から離れていても、このネゴシエーション音によってネットワークへの接続状況を確認することが可能である。しかしながら、このネゴシエーション音は耳障りな音である為、ユーザはダイヤルアップ接続の際に、モデムの音量を事前の設定により下げていることが多い。
【００１２】
したがって、モデムのネゴシエーション音が出力されない設定下でダイヤルアップ接続によりネットワークに接続する際は、ネットワークに接続するまでのコンピュータの接続状況を容易に認識する有効な術がなかった。
【００１３】
本発明は、上記のような事情に鑑みてなされたものであり、ダイヤルアップ接続によってネットワークに接続する際の、ネットワークへの接続状況を容易に認識することが可能な通信端末装置を提供することを目的とする。
【００１４】
【課題を解決するための手段】
本発明の通信端末装置は、ネットワークに接続されたコンピュータにダイヤルアップにより接続し、前記コンピュータを介して前記ネットワークに接続可能な通信端末装置であって、ダイヤルアップにより前記コンピュータに接続する接続手段と、前記接続手段による接続完了後、前記コンピュータとネゴシエーションを行うネゴシエーション手段と、前記通信端末装置が前記ネットワークに接続中であることを示す為のデジタルデータを記録するデジタルデータ記録部と、ダイヤルアップによる前記ネットワークへの接続期間のうち、少なくとも前記ネゴシエーションが行なわれている期間、前記デジタルデータ記録部に記録されているデジタルデータを再生出力する再生出力手段とを備える。
【００１５】
この構成により、ダイヤルアップによるネットワークへの接続期間のうち、少なくともネゴシエーションが行なわれている期間は、再生出力手段によりデジタルデータが再生出力される。この為、ユーザは、ネゴシエーション音が出力されないような設定下においても、再生出力手段により再生出力されるデジタルデータによりネットワークへの接続状況を容易に認識することが可能となる。
【００１６】
又、強制的に特定のコンピュータに対してダイヤルアップが開始された場合でも、少なくともネゴシエーションの開始と同時にデジタルデータが再生出力される。この為、ユーザは、その特定のコンピュータとのネゴシエーションの開始やそのコンピュータへのダイヤルアップの開始等を認識することが可能となる。したがって、ユーザは、特定のコンピュータへのダイヤルアップを中止させたり、特定のコンピュータとのネゴシエーションを中止させたりといった対処を即座に行うことができる。
【００１７】
又、本発明の通信端末装置は、前記ネゴシエーション期間中に、前記コンピュータとの接続が切断された場合、前記再生出力手段は前記デジタルデータの再生出力を停止する。
【００１８】
この構成により、コンピュータとの接続が切断されたことを、再生出力されるデジタルデータにより認識することができ、ユーザは、コンピュータへの再接続作業を行う指示を即座に行うことが可能となる。
【００１９】
又、本発明の通信端末装置は、前記再生出力手段により再生出力させるデジタルデータを、ユーザからの指示により決定する決定手段を備え、前記再生出力手段は、前記決定手段により決定されたデジタルデータを再生出力する。
【００２０】
この構成により、再生出力手段によって再生出力させるデジタルデータの内容をユーザによって決定することができ、ユーザの好みに応じたデジタルデータの再生出力により、ネットワークへの接続状況を認識することができる。
【００２１】
又、本発明の通信端末装置は、前記デジタルデータが音データを含み、前記再生出力手段により再生出力される音データの音量を調整する音量調整手段を備える。
【００２２】
この構成により、再生出力手段から再生出力される音データの音量を大きくすることで、ユーザが、通信端末装置を見ることができない、離れた場所にいても、ネットワークへの接続状態を、その音により確認することができる。
【００２３】
又、本発明の通信端末装置は、前記再生出力手段によるデジタルデータの再生出力の要否を設定する設定手段を備える。
【００２４】
この構成により、デジタルデータを再生出力させるか否かをユーザにより設定することができる。
【００２５】
【発明の実施の形態】
以下、本発明の実施形態について図面を参照して説明する。
（第一実施形態）
図１は、本発明の第一実施形態に係る電話装置を用いて、ダイヤルアップ接続によりインターネット等のネットワークに接続する為のシステム構成図である。図１に示したシステムは、ＰＣやインターネット接続機能付き電話装置等の通信端末装置として電話装置１００、電話装置１００から接続可能な公衆電話回線２００、公衆電話回線２００に接続されるＩＳＰサーバ３００、及びネットワークとしてインターネット４００を備える。
【００２６】
ＩＳＰサーバ３００は、インターネットサービスプロバイダの管理するサーバであり、特定のＩＰアドレスが割り当てられている。
【００２７】
電話装置１００は、内蔵するモデム１０９により公衆電話回線２００を介してＩＳＰサーバ３００に接続し、ＩＳＰサーバ３００を介してインターネット４００に接続可能な電話装置である。以下、電話装置１００の構成を詳述する。
【００２８】
電話装置１００は、制御部１０１（設定手段、決定手段）、音量調整部１０２（音量調整手段）、ネゴシエーション状況検知部１０４、接続状態検出部１０５、操作部１０６、音楽データ記憶部１０７（デジタルデータ記録部）、音楽データ出力部１０８（再生出力手段）、モデム１０９（ネゴシエーション手段、接続手段）、及び表示部１１０を備える。
【００２９】
操作部１０６は、ユーザによって操作可能なキーやボタン等から構成され、ユーザによってキーやボタンが操作されることで、その操作情報が制御部１０１を介して各部に伝達される。
【００３０】
モデム１０９は、ユーザによって操作部１０６が操作され、その操作情報に基づいて制御部１０１によりダイヤルアップ開始の指示が与えられると、ＩＳＰサーバ３００に割り当てられたＩＰアドレスに対してダイヤルアップを行う。又、ＩＳＰサーバ３００と接続完了後、ＩＳＰサーバ３００とネゴシエーションを行う。更に、ネゴシエーションの開始及び完了をネゴシエーション状況検知部１０４に通知する。
【００３１】
尚、モデム１０９に、ＩＳＰサーバ３００にダイヤルアップにより接続する機能を持たせず、電話装置１００内にＩＳＰサーバ３００にダイヤルアップにより接続を行う手段を別に設ける構成としても良い。
【００３２】
ネゴシエーション状況検知部１０４は、モデム１０９からの通知に基づき、ネゴシエーションの開始及び完了を検知する。
【００３３】
接続状態検出部１０５は、モデム１０９とＩＳＰサーバ３００との接続状態を検出する。
【００３４】
音楽データ記憶部１０７には、音楽データ出力部１０８から出力させる音楽データが記録される。この音楽データには、インターネット４００からダウンロードしたダウンロードデータ、ユーザが作成した自作データ、及び予め記録されている固定データ等が含まれる。又、音楽データには人間の声等の音データも含まれる。
【００３５】
音楽データ出力部１０８は、図示しないスピーカを有し、ネゴシエーション状況検知部１０４によって、モデム１０９によるＩＳＰサーバ３００とのネゴシエーションの開始が検知されてから、該ネゴシエーションの完了が検知されるまでの間（ネゴシエーションが行なわれている期間）、音楽データ記憶部１０７に記憶されている音楽データを制御部１０１の制御によりスピーカから出力する。
【００３６】
尚、音楽データ出力部１０８から出力させる音楽データは、操作部１０６の操作により、ユーザによって選択可能なように構成されている。又、モデム１０９によるネゴシエーション中に音楽データ出力部１０８から音楽データを出力させるか否かの設定も、操作部１０６の操作によって可能なように構成されている。
【００３７】
又、モデム１０９がＩＳＰサーバ３００とネゴシエーションを行っている際中に、モデム１０９とＩＳＰサーバ３００との接続が切断された場合（接続状態検出部１０５により判断）、音楽データ出力部１０８は、制御部１０１の制御により音楽データの出力を停止する。
【００３８】
音量調整部１０２は、音楽データ出力部１０８から出力される音楽データの音量を調整するものであり、ユーザによって操作部１０６が操作されると、その操作情報に基づく制御部１０１の制御により、音楽データ出力部１０８から出力させる音楽データの音量を調整する。
【００３９】
表示部１１０には、モデム１０９のダイヤルアップ先であるＩＳＰサーバ３００に割り当てられたＩＰアドレス等が表示される。
【００４０】
制御部１０１は、電話装置１００内の各部を制御する。又、操作部１０６から伝達される操作情報に基づいて、音楽データ出力部１０８から出力させる音楽データの内容を決定したり、音楽データ出力部１０８から音楽データを出力するか否かを設定したりする。
【００４１】
次に、本実施形態に係る電話装置１００の動作について説明する。
図２は、本発明の第一実施形態に係る電話装置の動作を説明する為のフローチャートである。
まず、ユーザの操作によりダイヤルアップの開始指示が与えられると（Ｓ２１）、ＩＳＰサーバ３００に対してダイヤルアップが開始され（Ｓ２２）、接続状態検出部１０５の検出結果により、ＩＳＰサーバ３００に接続完了したかどうかが判断される（Ｓ２３）。
【００４２】
接続が完了していない場合（Ｓ２３：ＮＯ、途中で切断された場合）、Ｓ２１に動作を移行する。一方、接続が完了すると（Ｓ２３：ＹＥＳ）、ＩＳＰサーバ３００とのネゴシエーションが開始され、該ネゴシエーションの開始が検知されると同時に、音楽データがスピーカから出力される（Ｓ２４）。尚、Ｓ２３：ＮＯにおいて、ＩＳＰサーバ３００への接続が完了していない場合、Ｓ２２に動作を移行し、ＩＳＰサーバ３００との接続が完了するまでモデム１０９がダイヤルアップを繰り返す構成としても良い。
【００４３】
モデム１０９によりＩＳＰサーバ３００とのネゴシエーションが行われている際中に、モデム１０９とＩＳＰサーバ３００との接続が切断された場合（Ｓ２５：ＹＥＳ）、音楽データ出力部１０８は、スピーカからの音楽データの出力を停止する（Ｓ２７）。
【００４４】
一方、モデム１０９とＩＳＰサーバ３００との接続が切断されない場合（Ｓ２５：ＮＯ）、ＩＳＰサーバ３００とのネゴシエーションが完了し、該ネゴシエーションの完了が検知されると、スピーカから出力される音楽データが停止する（Ｓ２６）。そして電話装置１００からインターネット４００への接続動作が完了する。
【００４５】
以上のように、本実施形態によれば、モデム１０９とＩＳＰサーバ３００とのネゴシエーションの開始から完了まで、ユーザにより選択された音楽データがスピーカから出力される。この為、モデム１０９からネゴシエーション音が出力されないような設定下においても、電話装置１００がインターネット４００に接続されたかどうかを、ユーザの好みにあった音楽データにより聴覚的に認識することができる。
【００４６】
又、電話装置１００がインターネット４００に接続されるまでの間、ユーザは電話装置１００の前でその接続状況を確認している必要がなくなる為、インターネットへの接続動作を電話装置１００に指示（ダイヤルアップ指示）してから、電話装置１００がインターネットに接続完了（ネゴシエーション完了）するまでの時間を有効に活用することができる。
【００４７】
又、本実施形態によれば、スピーカから出力させる音楽データの音量を音量調整部１０２によって大きくなるように調整することで、電話装置１００から遠く離れた位置にユーザがいる場合でも、その音により、電話装置１００のインターネット４００への接続状況を認識することができる。
【００４８】
又、本実施形態によれば、スピーカから出力させる音楽データは、ユーザによって選択可能な為、ユーザは、自身の好きな音楽によって電話装置１００のインターネット４００への接続状況を知ることができる。
【００４９】
又、本実施形態によれば、電話装置１００のインターネット４００への接続動作中に、スピーカから音楽データを出力させる機能をＯＦＦにすることができる。この為、煩わしいときには、操作部１０６を操作して、この機能をＯＦＦにすることで、従来と変わらない電話装置としても使用することができる。
【００５０】
又、本実施形態によれば、ネゴシエーション中にモデム１０９とＩＳＰサーバ３００との接続が切断されると、スピーカから出力される音楽データが停止する。この為、ユーザは、音楽データの停止によってＩＳＰサーバ３００との接続が切断されたことを聴覚的に認識することができる。したがって、ダイヤルアップの再開を行う指示を電話装置１００に対して迅速に行うことができる。
【００５１】
（第二実施形態）
本発明の第二実施形態に係る電話装置は、第一実施形態に係る電話装置１００において、音楽データ出力部１０８による音楽データ再生タイミングが異なるのみであり、その他の構成については図１に示したものと同様である。
【００５２】
第二実施形態に係る電話装置の音楽データ出力部１０８は、モデム１０９がＩＳＰサーバ３００にダイヤルアップを開始してから、ネゴシエーション状況検知部１０４でネゴシエーションの完了が検知されるまで、制御部１０１の制御によりスピーカから音楽データを出力する。尚、本実施形態におけるモデム１０９は、ＩＳＰサーバ３００に接続が完了するまでダイヤルアップを繰り返すリダイヤル機能を有する。
【００５３】
公衆電話回線２００が混雑していることによりモデム１０９からＩＳＰサーバ３００へのダイヤルアップが複数回行われる場合（リダイヤルされる場合）、音楽データ出力部１０８は、ＩＳＰサーバ３００にダイヤルアップが開始されてから、ＩＳＰサーバ３００に接続完了されるまで、制御部１０１の制御によりスピーカから音楽データを出力し続ける。
つまり、モデム１０９がＩＳＰサーバ３００にリダイヤルを行っている間も、音楽データ出力部１０８は音楽データを出力し続ける。
【００５４】
次に、本発明の第二実施形態に係る電話装置の動作について説明する。
図３は、本発明の第二実施形態に係る電話装置の動作を説明する為のフローチャートである。
まず、ユーザの操作によりダイヤルアップの開始指示が与えられると（Ｓ３１）、ＩＳＰサーバ３００に対してダイヤルアップが開始され、同時に、スピーカから音楽データが出力される（Ｓ３２）。そして、接続状態検出部１０５により、電話装置がＩＳＰサーバ３００に接続完了したかどうかが判断される（Ｓ２３）。
【００５５】
接続が完了していない場合（Ｓ３３：ＮＯ、途中で切断された場合）、接続が完了するまでダイヤルアップが行われる。一方、接続が完了すると（Ｓ３３：ＹＥＳ）、モデム１０９によりＩＳＰサーバ３００とのネゴシエーションが開始される（Ｓ３４）。その後、ネゴシエーションが完了し、ネゴシエーション状況検知部１０４によりネゴシエーションの完了が検知されると、スピーカから出力される音楽データが停止する（Ｓ３６）。以上により、電話装置からインターネット４００への接続動作が完了する。
【００５６】
尚、Ｓ３４の動作の後に、モデム１０９とＩＳＰサーバ３００との接続が切断された場合は、図２と同様にスピーカからの音楽データの出力を停止するようにしても良い。
【００５７】
以上のように、本実施形態によれば、ＩＳＰサーバ３００へのダイヤルアップが開始されると同時に、スピーカから音楽データが出力され、ＩＳＰサーバ３００とのネゴシエーションの完了が検知されると同時に、スピーカから出力されていた音楽データが停止する。
【００５８】
この為、ユーザは、電話装置がＩＳＰサーバ３００にダイヤルアップを開始し、その後インターネット４００に接続完了したかどうかを聴覚的に認識することができる。したがって、電話装置１００の前でインターネット４００への接続状況を確認している必要がなくなり、ユーザは、インターネット４００への接続動作を指示（ダイヤルアップを指示）してから、電話装置がインターネットに接続完了（ネゴシエーションが完了）するまでの時間を有効に活用することができる。
【００５９】
又、本実施形態によれば、ＩＳＰサーバ３００への接続が上手くいかない場合でも、ＩＳＰサーバ３００に接続されるまでダイヤルアップが繰り返され、この間もスピーカからは音楽データが出力される。
【００６０】
この為、公衆電話回線２００が混雑しており、ダイヤルアップに時間がかかるような場合でも、スピーカから出力される音楽データを聞きながらＩＳＰサーバ３００への接続完了を待つことができ、苛々することなく、インターネットへの接続完了を待つことができる。
【００６１】
又、本実施形態によれば、ダイヤルアップの開始と同時にスピーカから音楽データが出力される為、電話装置がインターネット４００に接続しているときに、強制的に特定のコンピュータに対してダイヤルアップが開始された場合でも、スピーカから出力される音楽データにより、ユーザはそのことを認知することができる。したがって、ユーザは、特定のコンピュータへのダイヤルアップを中止させるといった対処を即座に行うことができる。
【００６２】
尚、第一及び第二実施形態では、音楽データ出力部１０８を用いてスピーカから音楽データを出力させる構成としたが、この構成に限らず、映像データ、画像データ、及びテキストデータ等のデジタルデータ（電話装置がインターネット４００に接続中であることを示す為のデータ）を電話装置の表示部に表示する構成としても良い。又、音楽データとデジタルデータとを一緒に出力させるようにしても良い。このようにすることでも、インターネット４００への接続状況を容易に認識することが可能である。
【００６３】
又、第一及び第二実施形態では、ネゴシエーションが完了するまで、音楽データがスピーカから出力される構成としているが、ネゴシエーションが途中で中断された場合に、音楽データの出力を停止するようにしても良い。これにより、ネゴシエーションが途中で中断され、電話装置が、それ以上インターネット４００への接続作業を行えない状態になった場合でも、ユーザはその状態を認識することができる為、インターネット４００への接続作業をやり直す為の操作等を迅速に行うことができる。
【００６４】
【発明の効果】
本発明によれば、ダイヤルアップ接続によってネットワークに接続する際の、ネットワークへの接続状況を容易に認識することが可能な通信端末装置を提供することができる。
【図面の簡単な説明】
【図１】本発明の第一実施形態に係る電話装置を用いて、ダイヤルアップ接続によりインターネット等のネットワークに接続する為のシステム構成図である。
【図２】本発明の第一実施形態に係る電話装置の動作を説明する為のフローチャートである。
【図３】本発明の第二実施形態に係る電話装置の動作を説明する為のフローチャートである。
【符号の説明】
１００　電話装置
１０１　制御部
１０２　音量調整部
１０４　ネゴシエーション状況検知部
１０５　接続状態検出部
１０６　操作部
１０７　音楽データ記憶部
１０８　音楽データ出力部
１０９　モデム
１１０　表示部
２００　公衆電話回線
３００　ＩＳＰサーバ
４００　インターネット
【図１】
2004129132.tif 000003
【図２】
2004129132.tif 000004
【図３】
2004129132.tif 000005